(57)【要約】【課題】板戸面に不測の荷重が作用したときに、板戸下端部に変形が生じ難いエレベーター用板戸を得る。【解決手段】表板３の下縁部を裏面側に屈折して形成した取付面７に戸の脚１２を係合し、また取付面７の長手両端をそれぞれ連結金具１７によって板戸２の裏面側部位に連結して板戸２下縁部の剛性を増す。これによって、板戸２に不測の荷重が作用したときの板戸２の変形を減少することができ、板戸２が変形して板戸２下縁部の屈折部が敷居１０面に接触したり、戸の脚１２と敷居１０の案内溝１１との間の摺動抵抗が増大したりして、板戸２の開閉動作が阻害されて開閉不能になる障害の発生を未然に防止する。また、板戸２の変形により戸の脚１２が装着不能になる障害の発生を防止する。【選択図】　　　　図１
2004018262.tif 000002
【特許請求の範囲】
【請求項１】
金属板からなり両側の縁部がそれぞれ裏面側へ屈折されて裏面側屈折部が形成された表板と、この表板の下端から下方に突設される戸の脚と、上記表板の下縁部が裏面側に屈折されてこの屈折部の先端側が上方に屈折されて形成されて上記戸の脚が係合される取付面と、一側が上記取付面に連結されて他側は上記表板の裏面側部位に連結された連結金具とを備えたエレベーター用板戸。
【請求項２】
連結金具を、一側に取付面に重合された取付部が形成されて上記取付面に連結され、上記取付部を介して戸の脚が上記取付面に係合されるものとしたことを特徴とする請求項１記載のエレベーター用板戸。
【請求項３】
戸の脚を、取付面に直接的に締結されたものとしたことを特徴とする請求項１記載のエレベーター用板戸。
【請求項４】
連結金具を、長手が水平に配置されて取付面の上方位置に配置されて、長手両端部がそれぞれ対向した裏面側部位に重合されて連結され、また長手中央部が下方へ延長されて上記取付面方向へ屈折されてなる取付部が上記取付面に連結されたものとしたことを特徴とする請求項１記載のエレベーター用板戸。
【請求項５】
連結金具を、表板の裏面に長手が縦方向に配置されて裏面側へ突出した補強材の裏面側部位に一側が重合されて連結され、他側に形成された取付部が取付面に連結されたものとしたことを特徴とする請求項１記載のエレベーター用板戸。
【請求項６】
連結金具を、長手に沿う一側が表板の下縁部が裏面側に屈折された取付面の上面に重合されて装着され、上方へ屈折されて取付部が形成されて上記取付部の長手両端部にそれぞれ形成された重合部が対向した表板の裏面側部位に連結されたものとしたことを特徴とする請求項１記載のエレベーター用板戸。
【発明の詳細な説明】
【０００１】
【発明の属する技術分野】
この発明は、エレベーターの出入口を開閉する引き戸からなるエレベーター用板戸に関する。
【０００２】
【従来の技術】
図９〜図１４は、従来のエレベーター用板戸を示す図で、図９はエレベーターの乗場出入口を昇降路内から見た正面図、図１０は図９のＡ−Ａ線断面図、図１１は図１０の板戸の拡大斜視図、図１２は図１０の下部の拡大斜視図、図１３は図１０の要部拡大図、図１４は図１０における板戸下部の変形状態を示す図１３相当図である。図において、１はエレベーターの出入口である。
【０００３】
２は出入口１を開閉する引き戸からなる板戸で、金属板からなる表板３、表板３の上縁部が裏面側に屈折された上部屈折部４、表板３の幅方向の両縁部がそれぞれ裏面側へ屈折された側部屈折部５、この側部屈折部５の先端側が屈折されて表板３の表側と空所を形成して対面した裏面側屈折部６及び表板３の下縁部が裏面側に屈折され、この屈折部の先端側が上方に屈折されて形成された取付面７が形成されている。８は出入口１の上縁部に設けられたレールである。
【０００４】
９は板戸２の上端に設けられて滑車がレール８に案内される吊り手、１０は出入口１に対応した床面に装備された敷居で、案内溝１１が設けられている。１２は戸の脚で、板戸２の取付面７に対向する取付板１３及び案内溝１１に移動可能に嵌合する摺動部１４によって構成されている。１５は板戸２の取付面７と戸の脚１２の取付板１３の間に介装される間隔片、１６はボルトからなる締結具で、戸の脚１２の取付板１３、間隔片１５に挿通されて板戸２の取付面７にねじ込まれている。
【０００５】
従来のエレベーター用板戸は上記のように構成され、板戸２は上部の吊り手９がレール８によって案内され、また下部の戸の脚１２の摺動部１４が案内溝１１に案内される。そして、図示が省略してあるが駆動機構によって駆動されて水平方向に動作して出入口１を開閉するようになっている。
【０００６】
【発明が解決しようとする課題】
上記のような従来のエレベーター用板戸では、エレベーターによって荷物を搬送する場合に荷物の台車が板戸２に衝突すること等によって、板戸２面に不測の荷重が作用するときがある。このときに、板戸２面の変形に伴って下縁部を屈折して設けられた取付面７箇所が図１１に示すように変形することがある。これによって、板戸２下縁部の屈折部が敷居１０面に接触したり、戸の脚１２の摺動部１４と案内溝１１との間の摺動抵抗が増大したりして、板戸２の開閉動作が阻害されて開閉不能になるという問題点があった。
【０００７】
この発明は、かかる問題点を解消するためになされたものであり、板戸面に不測の荷重が作用したときに、板戸下端部に変形が生じ難いエレベーター用板戸を得ることを目的とする。
【０００８】
【課題を解決するための手段】
この発明に係るエレベーター用板戸においては、金属板からなり両側の縁部がそれぞれ裏面側へ屈折されて裏面側屈折部が形成された表板と、この表板の下端から下方に突設される戸の脚と、表板の下縁部が裏面側に屈折されこの屈折部の先端側が上方に屈折されて形成されて戸の脚が係合される取付面と、一側が取付面に連結され他側は表板の裏面側部位に連結された連結金具とが設けられる。
【０００９】
また、この発明に係るエレベーター用板戸においては、一側に取付面に重合された取付部が形成されて取付面に連結され、取付部を介して戸の脚が取付面に係合される連結金具が設けられる。
【００１０】
また、この発明に係るエレベーター用板戸においては、取付面に直接的に締結された戸の脚が設けられる。
【００１１】
また、この発明に係るエレベーター用板戸においては、長手が水平に配置されて取付面の上方位置に配置されて、長手両端部がそれぞれ対向した裏面側部位に重合されて連結され、また長手中央部が下方へ延長されて取付面方向へ屈折されてなる取付部が取付面に連結された連結金具が設けられる。
【００１２】
また、この発明に係るエレベーター用板戸においては、表板の裏面に長手が縦方向に配置されて裏面側へ突出した補強材の裏面側部位に一側が重合されて連結され、他側に形成された取付部が取付面に連結された連結金具が設けられる。
【００１３】
また、この発明に係るエレベーター用板戸においては、表板の下縁部が裏面側に屈折された取付面の上面に、長手に沿う一側が重合されて装着され上方へ屈折されて取付部が形成され、この取付部の長手両端部にそれぞれ形成された重合部を介して表板の裏面側部位に連結された連結金具が設けられる。
【００１４】
【発明の実施の形態】
実施の形態１．
図１及び図２は、この発明の実施の形態の一例を示す図で、図１は板戸下部を一部分解して示す斜視図であり前述の図１２相当図、図２は図１の要部縦断面図である。なお、図１及び図２の他は前述の図９〜図１３と同様にエレベーター用板戸が構成されている。
【００１５】
図において、２は出入口１を開閉する引き戸からなる板戸で、金属板からなる表板３、表板３の上縁部が裏面側に屈折された上部屈折部４、表板３の幅方向の両縁部がそれぞれ裏面側へ屈折された側部屈折部５、この側部屈折部５の先端側が屈折されて表板３の表側と空所を形成して対面した裏面側屈折部６及び表板３の下縁部が裏面側に屈折され、この屈折部の先端側が上方に屈折されて形成された取付面７が形成されている。
【００１６】
１０は出入口１に対応した床面に装備された敷居で、案内溝１１が設けられている。１２は戸の脚で、板戸２の取付面７に対向する取付板１３及び案内溝１１に移動可能に嵌合する摺動部１４によって構成されている。１７は連結金具で、一側は裏面側屈折部６に重合されて取付面７方向へ屈折され、この屈折部がさらに屈折されてなる他側が取付面７に重合されて取付部１８が形成され、この取付部１８が取付面７に連結されて裏面側屈折部６と取付面７を連結する。
【００１７】
１９は連結金具１７を裏面側屈折部６又は取付面７に締結するリベット、１５は板戸２の取付面７と戸の脚１２の取付板１３の間に介装される間隔片、１６はボルトからなる締結具で、戸の脚１２の取付板１３、間隔片１５に挿通されて連結金具１７の取付部８にねじ込まれている。
【００１８】
上記のように構成されたエレベーター用板戸において、図示が省略してあるが前述の図９〜図１３と同様に、板戸２は上部の吊り手９がレール８によって案内され、また下部は戸の脚１２の摺動部１４が案内溝１１に案内される。そして、図示が省略してあるが駆動機構によって駆動されて水平方向に動作して出入口１を開閉する。
【００１９】
そして、戸の脚１２が連結金具１７の取付部１８に締結されて板戸２に装着される。また、表板３の裏面側屈折部６、すなわち表板３の裏面側部位と取付面７の長手端部とが連結金具１７によって連結されるので板戸２下縁部の剛性を増すことができる。このため、エレベーターによって荷物を搬送する場合に荷物の台車が板戸２に衝突すること等による板戸２に対する不測の荷重作用時に、板戸２の変形を少なくすることができる。
【００２０】
したがって、板戸２下縁部の屈折部が敷居１０面に接触したり、戸の脚１２の摺動部１４と案内溝１１との間の摺動抵抗が増大したりして、板戸２の開閉動作が阻害されて開閉不能になる障害の発生を未然に防止することができる。また、板戸２に対する不測の荷重作用時における板戸２の変形が少なくなるので、取付面７の変形のために戸の脚１２が装着不能になる障害の発生を防止することができる。
【００２１】
また、表板３の裏面側屈折部６と取付面７の長手端部とが別体からなる連結金具１７によって連結される。このため、表板３の裏面側屈折部６及び表板３の取付面７の屈折加工のために特殊な曲げ加工機を要せず、汎用曲げ加工機による加工が可能である。したがって、仕様の異なる多種の板戸２の製作に容易に対応することができ、納期の短縮等の生産性向上を実現することができる。
【００２２】
さらに、表板３の取付面７と連結金具１７の両者の間に微小な隙間がある場合に、表板３の取付面７に連結金具１７を締結する前に上記両者の隙間に適宜に間隔片（図示しない）を挿入する。これにより、表板３の表面における歪みの発生を防ぐことができて、表板３の表面の見栄えをよくすることができる。
【００２３】
また、板戸２の厚さ方向における戸の脚１２の装着位置を、板戸２の下縁部における屈折幅による取付面７位置の設定及び連結金具１７における取付部１８と裏面側屈折部６とに対応した屈折幅の設定によって容易に変更することができる。このため、板戸２の厚さ方向に対する敷居１０の案内溝１１位置を自由に設定することができる。したがって、板戸２の取付面７と戸の脚１２の取付板１３の間に介装される間隔片１５の枚数を少なくすることができ、戸の脚１２の締結作業能率を向上することができる。
【００２４】
実施の形態２．
図３及び図４は、この発明の他の実施の形態の一例を示す図で、図３は板戸下部を示す斜視図であり前述の図１２相当図、図４は図３の要部縦断面図である。なお、図３及び図４の他は前述の図９〜図１３と同様にエレベーター用板戸が構成されている。図において、前述の図１及び図２と同符号は相当部分を示す。
【００２５】
２０は連結金具で、一側は裏面側屈折部６の裏面に重合されて取付面７方向へ屈折され、この屈折部がさらに屈折されてなる他側が取付面７に重合されて取付部２１が形成され、リベット１９によって一側は裏面側屈折部６に、他側は取付面７にそれぞれ締結されている。また、戸の脚１２は取付板１３が間隔片１５を介して取付面７に配置され、取付板１３、間隔片１５に挿通されて連結金具２０の取付部８にねじ込まれた締結具１６によって取付面７に直接的に装着されている。
【００２６】
上記のように構成されたエレベーター用板戸においても、戸の脚１２が取付面７に締結されて板戸２に装着される。また、表板３の裏面側屈折部６、すなわち表板３の裏面側部位と取付面７の長手端部とが連結金具２０によって連結されるので板戸２下縁部の剛性を増すことができる。したがって、詳細な説明を省略するが図３及び図４の実施の形態においても、図１及び図２の実施の形態と同様な作用が得られる。
【００２７】
実施の形態３．
図５も、この発明の他の実施の形態の一例を示す図で、図５は板戸下部を示す斜視図であり前述の図１２相当図である。なお、図５の他は前述の図９〜図１３と同様にエレベーター用板戸が構成されている。図において、前述の図１及び図２と同符号は相当部分を示す。
【００２８】
２２は連結金具で、長手が水平に配置されて取付面７の上方位置に設けられ、長手両端部がそれぞれ対向した裏面側屈折部６の裏面に重合されてリベット１９によって締結される。また、長手中央部が下方へ延長されて取付面７方向へ屈折され、この屈折部がさらに屈折されてなる他側が取付面７に重合されて取付部２３が形成されて、この取付部２３がリベット１９によって取付面７に締結されて板戸２に装着されている。
【００２９】
上記のように構成されたエレベーター用板戸においても、戸の脚１２が取付面７に締結されて板戸２に装着される。また、連結金具２２によって表板３の両側の裏面側屈折部６相互、すなわち表板３の裏面側部位相互と取付面７が連結されるので板戸２下縁部の剛性を増すことができる。したがって、詳細な説明を省略するが図５の実施の形態においても、図１及び図２の実施の形態と同様な作用が得られる。
【００３０】
実施の形態４．
図６も、この発明の他の実施の形態の一例を示す図で、図６は板戸下部を示す斜視図であり前述の図１２相当図である。なお、図６の他は前述の図９〜図１３と同様にエレベーター用板戸が構成されている。図において、前述の図１及び図２と同符号は相当部分を示す。
【００３１】
２４は板戸２幅の中間に長手が縦方向に装着されて表板３の裏面に配置され、板戸２の裏面側へ突出した補強材である。２５は連結金具で、上端すなわち一側が補強材２４の板戸２の裏面側すなわち裏面側部位に重合されてリベット１９によって締結され、また下端は下方へ延長されて取付面７方向へ屈折され、この屈折部の先端がさらに屈折されてなる他側が取付面７に重合されて取付部２６が形成され、この取付部２６がリベット１９によって取付面７に締結されて板戸２に装着されている。
【００３２】
上記のように構成されたエレベーター用板戸においても、戸の脚１２が取付面７に締結されて板戸２に装着される。また、連結金具２５によって補強材１４、すなわち表板３に装着された補強材１４の裏面側部位と取付面７が連結される。これによって板戸２下縁部の剛性を増すことができる。したがって、詳細な説明を省略するが図６の実施の形態においても、図１及び図２の実施の形態と同様な作用が得られる。
【００３３】
実施の形態５．
図７及び図８も、この発明の他の実施の形態の一例を示す図で、図７は板戸下部を示す斜視図であり前述の図１２相当図、図８は図７の要部縦断面図である。なお、図７及び図８の他は前述の図９〜図１３と同様にエレベーター用板戸が構成されている。図において、前述の図１及び図２と同符号は相当部分を示す。
【００３４】
２７は表板３の下縁部が裏面側に屈折されて形成された取付面、２８は連結金具で、長手に沿う一側が表板３の取付面２７の上面に重合されて装着され、この重合部の先端側が上方へ屈折されて取付部２９が形成されて、取付部２９の長手両端部がそれぞれ側部屈折部５に沿って裏面側屈折部６方向へ屈折され、この屈折部の先端側が屈折されて裏面側屈折部６の裏面に重合する重合部３０が形成されている。
【００３５】
１９は裏面側屈折部６と連結金具２８の重合部３０を締結したリベットである。そして、戸の脚１２は取付板１３が間隔片１５を介して連結金具２８の取付部２９に配置され、取付板１３、間隔片１５に挿通されて連結金具２８の取付部２９にねじ込まれた締結具１６によって連結金具２８に装着される。
【００３６】
上記のように構成されたエレベーター用板戸においても、戸の脚１２が連結金具２８の取付部２９に締結されて板戸２に装着される。また、表板３の両側の裏面側屈折部６、すなわち表板３の裏面側部位と連結金具２８の長手端部に形成された重合部３０とが連結されるので板戸２下縁部の剛性を増すことができる。したがって、詳細な説明を省略するが図７及び図８の実施の形態においても、図１及び図２の実施の形態と同様な作用が得られる。
【００３７】
【発明の効果】
この発明は以上説明したように、金属板からなり両側の縁部がそれぞれ裏面側へ屈折されて裏面側屈折部が形成された表板と、この表板の下端から下方に突設される戸の脚と、表板の下縁部が裏面側に屈折されこの屈折部の先端側が上方に屈折されて形成されて戸の脚が係合される取付面と、一側が取付面に連結され他側は裏面側部位に連結された連結金具とを設けたものである。
【００３８】
これによって、戸の脚が表板の下縁部が裏面側に屈折されて形成された取付面に係合されて板戸に装着され、また取付面の長手両端がそれぞれ連結金具によって板戸の裏面側部位に連結される。このため、板戸下縁部の剛性を増すことができ、エレベーターによって荷物を搬送する場合に荷物の台車が板戸に衝突すること等による板戸に対する不測の荷重作用時における板戸の変形を少なくすることができる。したがって、板戸が変形して板戸下縁部の屈折部が敷居面に接触したり、戸の脚の摺動部と案内溝との間の摺動抵抗が増大したりして、板戸の開閉動作が阻害されて開閉不能になる障害の発生を未然に防止する効果がある。また、板戸に対する不測の荷重作用時における板戸の変形が少なくなるので、戸の脚の取付面が変形して戸の脚が装着不能になる障害の発生を防止する効果がある。
また、板戸の裏面側部位と取付面の長手端部とが別体からなる連結金具によって連結される。このため、板戸の裏面側屈折部及び表板の取付面の屈折加工のために特殊な曲げ加工機を要せず汎用曲げ加工機による加工が可能となる。したがって、仕様の異なる多種の板戸の製作に容易に対応することができ、納期の短縮等の生産性向上を実現する効果がある。
【００３９】
また、この発明は以上説明したように、一側に取付面に重合された取付部が形成されて取付面に連結され、取付部を介して戸の脚が取付面に係合される連結金具を設けたものである。
【００４０】
これによって、連結金具の取付部を介して戸の脚が、表板の下縁部が裏面側に屈折されて形成された取付面に係合されて板戸に装着され、また取付面の長手両端がそれぞれ連結金具によって板戸の裏面側部位に連結される。このため、板戸下縁部の剛性を増すことができ、エレベーターによって荷物を搬送する場合に荷物の台車が板戸に衝突すること等による板戸に対する不測の荷重作用時における板戸の変形を少なくすることができる。したがって、板戸が変形して板戸下縁部の屈折部が敷居面に接触したり、戸の脚の摺動部と案内溝との間の摺動抵抗が増大したりして、板戸の開閉動作が阻害されて開閉不能になる障害の発生を未然に防止する効果がある。また、板戸に対する不測の荷重作用時における板戸の変形が少なくなるので、戸の脚の取付面が変形して戸の脚が装着不能になる障害の発生を防止する効果がある。
また、板戸の裏面側部位と取付面の長手端部とが別体からなる連結金具によって連結される。このため、板戸の裏面側屈折部及び表板の取付面の屈折加工のために特殊な曲げ加工機を要せず汎用曲げ加工機による加工が可能となる。したがって、仕様の異なる多種の板戸の製作に容易に対応することができ、納期の短縮等の生産性向上を実現する効果がある。
【００４１】
また、この発明は以上説明したように、取付面に直接的に締結された戸の脚を設けたものである。
【００４２】
これによって、表板の下縁部が裏面側に屈折されて形成された取付面に戸の脚が締結されて板戸に装着され、また取付面の長手両端がそれぞれ連結金具によって板戸の裏面側部位に連結される。このため、板戸下縁部の剛性を増すことができ、エレベーターによって荷物を搬送する場合に荷物の台車が板戸に衝突すること等による板戸に対する不測の荷重作用時における板戸の変形を少なくすることができる。したがって、板戸が変形して板戸下縁部の屈折部が敷居面に接触したり、戸の脚の摺動部と案内溝との間の摺動抵抗が増大したりして、板戸の開閉動作が阻害されて開閉不能になる障害の発生を未然に防止する効果がある。また、板戸に対する不測の荷重作用時における板戸の変形が少なくなるので、戸の脚の取付面が変形して戸の脚が装着不能になる障害の発生を防止する効果がある。
また、板戸の裏面側部位と取付面の長手端部とが別体からなる連結金具によって連結される。このため、板戸の裏面側屈折部及び表板の取付面の屈折加工のために特殊な曲げ加工機を要せず汎用曲げ加工機による加工が可能となる。したがって、仕様の異なる多種の板戸の製作に容易に対応することができ、納期の短縮等の生産性向上を実現する効果がある。
【００４３】
また、この発明に係るエレベーター用板戸においては、長手が水平に配置されて取付面の上方位置に配置されて、長手両端部がそれぞれ対向した裏面側部位に重合されて連結され、また長手中央部が下方へ延長されて取付面方向へ屈折されてなる取付部が取付面に連結された連結金具を設けたものである。
【００４４】
これによって、水平に配置された長手両端部がそれぞれ対向した板戸の裏面側部位に連結され、また長手中央部が取付面に連結された連結金具が設けられ、また戸の脚が表板の下縁部が裏面側に屈折されて形成された取付面に締結されて板戸に装着される。このため、板戸下縁部の剛性を増すことができ、エレベーターによって荷物を搬送する場合に荷物の台車が板戸に衝突すること等による板戸に対する不測の荷重作用時における板戸の変形を少なくすることができる。したがって、板戸が変形して板戸下縁部の屈折部が敷居面に接触したり、戸の脚の摺動部と案内溝との間の摺動抵抗が増大したりして、板戸の開閉動作が阻害されて開閉不能になる障害の発生を未然に防止する効果がある。また、板戸に対する不測の荷重作用時における板戸の変形が少なくなるので、戸の脚の取付面が変形して戸の脚が装着不能になる障害の発生を防止する効果がある。
また、板戸の裏面側部位と取付面とが別体からなる連結金具によって連結される。このため、板戸の裏面側屈折部及び表板の取付面の屈折加工のために特殊な曲げ加工機を要せず汎用曲げ加工機による加工が可能となる。したがって、仕様の異なる多種の板戸の製作に容易に対応することができ、納期の短縮等の生産性向上を実現する効果がある。
【００４５】
また、この発明に係るエレベーター用板戸においては、表板の裏面に長手が縦方向に配置されて裏面側へ突出した補強材の裏面側部位に一側が連結され、他側の取付部が取付面に連結された連結金具を設けたものである。
【００４６】
これによって、表板の裏面に設けられた補強材の裏面側部位に一側が重合されて連結され、他側に形成された取付部が取付面に連結された連結金具が設けられ、また表板の下縁部が裏面側に屈折されて形成された取付面に戸の脚が締結されて板戸に装着される。このため、板戸下縁部の剛性を増すことができ、エレベーターによって荷物を搬送する場合に荷物の台車が板戸に衝突すること等による板戸に対する不測の荷重作用時における板戸の変形を少なくすることができる。したがって、板戸が変形して板戸下縁部の屈折部が敷居面に接触したり、戸の脚の摺動部と案内溝との間の摺動抵抗が増大したりして、板戸の開閉動作が阻害されて開閉不能になる障害の発生を未然に防止する効果がある。また、板戸に対する不測の荷重作用時における板戸の変形が少なくなるので、戸の脚の取付面が変形して戸の脚が装着不能になる障害の発生を防止する効果がある。
また、板戸の裏面側部位と取付面とが別体からなる連結金具によって連結される。このため、板戸の裏面側屈折部及び表板の取付面の屈折加工のために特殊な曲げ加工機を要せず汎用曲げ加工機による加工が可能となる。したがって、仕様の異なる多種の板戸の製作に容易に対応することができ、納期の短縮等の生産性向上を実現する効果がある。
【００４７】
また、この発明に係るエレベーター用板戸においては、表板の下縁部が裏面側に屈折された取付面の上面に、長手に沿う一側が重合されて装着され上方へ屈折されて取付部が形成され、この取付部の長手両端部にそれぞれ形成された重合部を介して表板の両側の裏面側部位にそれぞれ連結された連結金具を設けたものである。
【００４８】
これによって、表板の下縁部が裏面側に屈折された取付面の上面に長手に沿う一側が重合されて装着され、上方へ屈折された取付部の長手両端部の重合部を表板における両側の裏面側部位に連結した連結金具が設けられ、また戸の脚が連結金具の取付部に締結されて板戸に装着される。このため、板戸下縁部の剛性を増すことができ、エレベーターによって荷物を搬送する場合に荷物の台車が板戸に衝突すること等による板戸に対する不測の荷重作用時における板戸の変形を少なくすることができる。したがって、板戸が変形して板戸下縁部の屈折部が敷居面に接触したり、戸の脚の摺動部と案内溝との間の摺動抵抗が増大したりして、板戸の開閉動作が阻害されて開閉不能になる障害の発生を未然に防止する効果がある。また、板戸に対する不測の荷重作用時における板戸の変形が少なくなるので、戸の脚の取付面が変形して戸の脚が装着不能になる障害の発生を防止する効果がある。
また、板戸の裏面側部位と取付面とが別体からなる連結金具によって連結される。このため、板戸の裏面側屈折部及び表板の取付面の屈折加工のために特殊な曲げ加工機を要せず汎用曲げ加工機による加工が可能となる。したがって、仕様の異なる多種の板戸の製作に容易に対応することができ、納期の短縮等の生産性向上を実現する効果がある。
【図面の簡単な説明】
【図１】この発明の実施の形態１を示す図で、板戸下部を一部分解して示す斜視図であり後述する図１２相当図。
【図２】図１の要部縦断面図。
【図３】この発明の実施の形態２を示す図で、板戸下部を示す斜視図であり後述する図１２相当図。
【図４】図３の要部縦断面図。
【図５】この発明の実施の形態３を示す図で、板戸下部を示す斜視図であり後述する図１２相当図。
【図６】この発明の実施の形態４を示す図で、板戸下部を示す斜視図であり後述する図１２相当図。
【図７】この発明の実施の形態５を示す図で、板戸下部を示す斜視図であり後述する図１２相当図。
【図８】図７の要部縦断面図。
【図９】従来のエレベーター用板戸を示す図で、エレベーターの乗場出入口を昇降路内から見た正面図。
【図１０】図９のＡ−Ａ線断面図。
【図１１】図１０の板戸の拡大斜視図。
【図１２】図１０の下部の拡大斜視図。
【図１３】図１０の要部拡大図。
【図１４】図１０における板戸下部の変形状態を示す図１３相当図。
【符号の説明】
３　表板、　　６　裏面側屈折部、　　７　取付面、　　１２　戸の脚、　　１７　連結金具、　　２０　連結金具、　　２２　連結金具、　　２３　連結部、　　２４　補強材、　　２５　連結金具、　　２６　取付部、　　２７　取付面、　　２８　連結金具、　　２９　取付部、　　３０　重合部。
【図１】
2004018262.tif 000003
【図２】
2004018262.tif 000004
【図３】
2004018262.tif 000005
【図４】
2004018262.tif 000006
【図５】
2004018262.tif 000007
【図６】
2004018262.tif 000008
【図７】
2004018262.tif 000009
【図８】
2004018262.tif 000010
【図９】
2004018262.tif 000011
【図１０】
2004018262.tif 000012
【図１１】
2004018262.tif 000013
【図１２】
2004018262.tif 000014
【図１３】
2004018262.tif 000015
【図１４】
2004018262.tif 000016